(57)【特許請求の範囲】
【請求項１】
連結する楔材が嵌入可能で断面コ字状かつ高さＨの第１〜第４の掛止金具が、支柱パイプの０度、９０度、１８０度及び２７０度位置に固定され、しかも、前記第１、第３の掛止金具が、前記第２、第４の掛止金具より少なくともＨの距離だけ前記支柱パイプの上位置に固着される仮設足場用連結機構に取付けられる補助掛止具であって、
前記楔材が緊結嵌入可能な楔空間部を有し、使用にあっては前記第２の掛止金具の上に搭載される補助掛止部と、前記補助掛止部の両側に連結され、使用にあっては、前記第１、第３の掛止金具を外側から囲む断面コ字状の第１、第２の装着部とを有し、前記第１、第２の装着部の対向する終端板部は前記支柱パイプの直径より大きい空間部を有して開放されていることを特徴とする仮設足場用連結機構に取付けられる補助掛止具。
【請求項２】
請求項１記載の仮設足場用連結機構に取付けられる補助掛止具において、断面コ字状となった前記第１、第２の装着部は、前記補助掛止部に連結される始端板部と該始端板部に対向配置される前記終端板部とを有し、前記終端板部の下端に内側に折れ曲がったストッパ片をそれぞれ有し、しかも、該ストッパ片の内側端と前記始端板部の距離は、前記第１、第３の掛止金具の幅より大きいことを特徴とする仮設足場用連結機構に取付けられる補助掛止具。
【請求項３】
請求項１又は２記載の仮設足場用連結機構に取付けられる補助掛止具において、該補助掛止具は、一枚板を曲げ加工して形成されることを特徴とする仮設足場用連結機構に取付けられる補助掛止具。
【請求項４】
請求項１〜３のいずれか１記載の仮設足場用連結機構に取付けられる補助掛止具において、前記補助掛止部の高さは、前記第１、第３の掛止金具の高さと同一となっていることを特徴とする仮設足場用連結機構に取付けられる補助掛止具。
【発明の詳細な説明】
【技術分野】
【０００１】
本発明は、建築又は土木現場等で構築される仮設足場用連結機構に取付けられる補助掛止具に関する。
【背景技術】
【０００２】
例えば、特許文献１に記載のように、建築現場等に仮設される足場は、複数本のパイプからなる支柱パイプが使用され、この支柱パイプには、通常、以下に説明する仮設足場用連結機構が設けられている。即ち、支柱パイプの途中位置に上方に開くテーパーが形成された断面コ字状の掛止金具（フック取付け金具）が東西南北４方（即ち、円周方向の０度、９０度、１８０度、２７０度位置、以下、第１〜第４の掛止金具と称する場合もある）に溶接にて取付けられ、水平パイプの端部に固定された楔が緊結嵌入している。
【０００３】
そして、この掛止金具は十分な強度を必要とするため、支柱パイプの同一高さ位置に４つの掛止金具は取付けられておらず、０度と１８０度位置に第１、第３の２つの掛止金具が取付けられ、上下方向に高さを変えて９０度と２７０度位置に第２、第４の２つの掛止金具が設けられている。従って、４つの掛止金具を支柱パイプに取付ける場合は、支柱パイプを中央にして対向する第１、第３の掛止金具と第２、第４の掛止金具が高さを変えて支柱パイプに取付けられている（特許文献１の図３参照）。
【先行技術文献】
【特許文献】
【０００４】
【特許文献１】特開２００６−１６８５６号公報
【発明の概要】
【発明が解決しようとする課題】
【０００５】
しかしながら、高さを変えて配置された第１〜第４の掛止金具を有する仮設足場用連結機構を用いて、作業床（座ばり）を組み立てる場合、第１、第３の掛止金具を用いて組み立てた作業床と、第２、第４の掛止金具を用いて組み立てた作業床を構成すると、組み立てた作業床の高さが異なることになり、作業者が歩き難いという問題があった。
【０００６】
本発明はかかる事情に鑑みてなされたもので、同一支柱パイプに取付けた異なる高さ位置にある掛止金具を用いて、同一レベルの作業床を形成できる仮設足場用連結機構に取付けられる補助掛止具を提供することを目的とする。
【課題を解決するための手段】
【０００７】
前記目的に沿う本発明に係る仮設足場用連結機構に取付けられる補助掛止具は、連結する楔材が嵌入可能で断面コ字状かつ高さＨの第１〜第４の掛止金具が、支柱パイプの０度、９０度、１８０度及び２７０度位置に固定され、しかも、前記第１、第３の掛止金具が、前記第２、第４の掛止金具より少なくともＨの距離だけ前記支柱パイプの上位置に固着される仮設足場用連結機構に取付けられる補助掛止具であって、
前記楔材が緊結嵌入可能な楔空間部を有し、使用にあっては前記第２の掛止金具の上に搭載される補助掛止部と、前記補助掛止部の両側に連結され、使用にあっては、前記第１、第３の掛止金具を外側から囲む断面コ字状の第１、第２の装着部とを有し、前記第１、第２の装着部の対向する終端板部は前記支柱パイプの直径より大きい空間部を有して開放されている。
【０００８】
本発明に係る仮設足場用連結機構に取付けられる補助掛止具において、断面コ字状となった前記第１、第２の装着部は、前記補助掛止部に連結される始端板部と該始端板部に対向配置される前記終端板部とを有し、前記終端板部の下端に内側に折れ曲がったストッパ片をそれぞれ有し、しかも、該ストッパ片の内側端と前記始端板部の距離は、前記第１、第３の掛止金具の幅より大きくしているのが好ましい。
【０００９】
また、本発明に係る仮設足場用連結機構に取付けられる補助掛止具において、該補助掛止具は、一枚板を曲げ加工して形成されるのが好ましい。
【００１０】
本発明に係る仮設足場用連結機構に取付けられる補助掛止具において、前記補助掛止部の高さは、前記第１、第３の掛止金具の高さと同一（プラスマイナス１０％の誤差を含む）となっているのが好ましい。
なお、補助掛止具の材料は、鉄板（鋼板）、アルミ板、ＦＲＰ、その他の硬質プラスチックなどがあり、更に鍛造品、鋳造品、プレス加工品であってもよい。
【発明の効果】
【００１１】
本発明に係る仮設足場用連結機構に取付けられる補助掛止具においては、従来の仮設足場用連結機構に補助掛止具を装着し、補助掛止部は第２の掛止金具の上に載っているので、従来の第２、第４の掛止金具の位置より上位置に補助掛止具を形成することができる。従って、支柱パイプに取付けられる作業床の高さを略一定にすることができる。
【００１２】
また、平面視して又は断面がコ字状に曲がった第１、第２の装着部の対向する終端板部は開放され、その開放幅が支柱パイプの直径より大きい幅となっているので、この補助掛止具を支柱パイプの途中位置から装着して、仮設足場用連結機構に取付けることができる。
【００１３】
特に、補助掛止具の両側の終端板部の下端に内側に折れ曲がったりストッパ片をそれぞれ有する場合は、補助掛止具の中間位置に形成された楔空間部に楔材を入れると、補助掛止具が一方に引き寄せられ、ストッパ片が第１、第３の掛止金具の下端に食い込み、この補助掛止具が仮設足場用連結機構から抜けなくなる。
【００１４】
また、ストッパ片の内側端と始端板部の距離を、第１、第３の掛止金具の幅より大きくしている場合は、楔材を楔空間部から外した状態で、補助掛止具を仮設足場用連結機構に対して自由に上下できる。
【図面の簡単な説明】
【００１５】
【図１】本発明の一実施の形態に係る仮設足場用連結機構に取付けられる補助掛止具の正面図である。
【図２】同補助掛止具を示す図面であって、（Ａ）は正面図、（Ｂ）は平面図、（Ｃ）は左側面図、（Ｄ）は右側面図、（Ｅ）は底面図である。
【図３】図１におけるＡ−Ａ断面図である。
【図４】同補助掛止具を取付けた状態の平面図である。
【図５】（Ａ）は仮設足場用連結機構の平面図、（Ｂ）は正面図である。
【発明を実施するための形態】
【００１６】
続いて、添付した図面を参照しながら、本発明を具体化した実施の形態について説明する。図１に、本発明の一実施の形態に係る仮設足場用連結機構１１に取付けられる補助掛止具１０を示す。まず、仮設足場用連結機構１１について説明する。
【００１７】
仮設足場用連結機構１１は、図５（Ａ）、（Ｂ）に示すように、支柱パイプ１２の周囲に溶接して取付けられた第１〜第４の掛止金具１３〜１６を有している。第１〜第４の掛止金具１３〜１６は同一形状で断面コ字状となって、側片部１７、１８は平行となっているが、溝底片部１９は上方に開くテーパー状となって、水平パイプ２０等の端部に取付けられた楔材２１が上から嵌入可能となっている。
【００１８】
そして、各々高さＨの第１〜第４の掛止金具１３〜１６は、支柱パイプ１２の０度、９０度、１８０度及び２７０度位置に固定され、しかも、第１、第３の掛止金具１３、１５が、第２、第４の掛止金具１４、１６より少なくともＨの距離Ｌだけ支柱パイプ１２の上位置に固着されている。なお、Ｌは、（１〜１．３）Ｈの範囲にあるのが好ましい。また、第１〜第４の掛止金具１３〜１６の幅、即ち、側片部１７、１８の外側距離は、支柱パイプ１２の直径、例えば、４８．６ｍｍに対して３９〜４１ｍｍの幅を有している。
【００１９】
一方、この仮設足場用連結機構１１に装着される補助掛止具１０は、図１、図２（Ａ）〜（Ｅ）、図３、図４に示すように、中央に外側に突出する補助掛止部２３を有する平面視して略コ字状となっている。この補助掛止具１０は使用にあっては第２の掛止金具１４の上に搭載される補助掛止部２３と、補助掛止部２３の両側に連結され、使用にあっては、第１、第３の掛止金具１３、１５を外側から囲む断面コ字状の第１、第２の装着部２４、２５とを有し、これらが一体的に連結されている。補助掛止具１０は、一枚の板材を折り曲げ加工して、又は複数の板材を溶接して形成できる。なお、平面視してコ字状になった補助掛止部２３の内側溝部分は、楔材２１が緊結嵌入可能な楔空間部２７を有している。従って、この補助掛止部２３の形状は第１〜第４の掛止金具１３〜１６と同一の形状をしている。
【００２０】
そして、第１、第２の装着部２４、２５の終端板部２８、２９は対向配置されてその間に空間部３０（即ち、開放となっている）が形成され、空間部３０の水平幅Ｗは支柱パイプ１２の直径より大きくなって、この補助掛止具１０を、任意の位置（使用にあっては、第２、第４の掛止金具１４、１６の上位置であることが必要）で支柱パイプ１２に装着及び脱着ができるようになっている。
【００２１】
そして、補助掛止具１０の断面コ字状となった第１、第２の装着部２４、２５は、補助掛止部２３に連結される始端板部３２、３３と始端板部３２、３３に対向配置される終端板部２８、２９とを有し、終端板部２８、２９の下端に内側に折れ曲がったストッパ片３４、３５をそれぞれ有し、しかも、ストッパ片３４、３５の内側端３６、３７と始端板部３２、３３の距離は、第１〜第４の掛止金具１３〜１６の幅（水平幅）より大きくしている。このストッパ片３４、３５は、楔材２１を補助掛止部２３から抜く場合、ストッパ片３４、３５が第１、第３の掛止金具１３、１５の下端に引っ掛かり、補助掛止具１０が抜けるのを防止する。
【００２２】
これによって、楔材２１を楔空間部２７に挿入した場合、補助掛止具１０の下端（ストッパ片３４、３５）を第１、第３の掛止金具１３、１５の下端に掛止させ、楔材２１を楔空間部２７から抜いて、補助掛止具１０を第１、第３の掛止金具１３、１５から外すことができる。
【００２３】
次に、この補助掛止具１０の使用方法について説明する。既設の仮設足場用連結機構１１において、第２、第４の掛止金具１４、１６の上位置に、補助掛止具１０を装着する。この場合、補助掛止部２３が第２の掛止金具１４上に載るようにする。そして、補助掛止具１０の終端板部２８、２９の下端にあるストッパ片３４、３５が第１、第３の掛止金具１３、１５の側片部１８、１７の下端に掛止可能な状態とし、楔材２１を補助掛止部２３に挿入する。これによって、楔材２１に繋いだ水平パイプ２０の取付け位置の高さが、第１、第３の掛止金具１３、１５に取付けた水平パイプ２０の高さと略同一となる。
【００２４】
本発明に係る仮設足場用連結機構に取付けられる補助掛止具において、補助掛止部の高さは、第１、第３の掛止金具の高さと同一（プラスマイナス１０％の誤差を含む）となっているのが好ましい。
本発明は前記した実施の形態に限定されるものではなく、本発明の要旨を変更しない範囲でその構成を変更することもできる。
【符号の説明】
【００２５】
１０：仮設足場用連結機構に取付けられる補助掛止具、１１：仮設足場用連結機構、１２：支柱パイプ、１３〜１６：第１〜第４の掛止金具、１７、１８：側片部、１９：溝底片部、２０：水平パイプ、２１：楔材、２３：補助掛止部、２４、２５：第１、第２の装着部、２７：楔空間部、２８、２９：終端板部、３０：空間部、３２、３３：始端板部、３４、３５：ストッパ片、３６、３７：内側端
【図１】
0006275598.tif 000002
【図２】
0006275598.tif 000003
【図３】
0006275598.tif 000004
【図４】
0006275598.tif 000005
【図５】
0006275598.tif 000006